(57)【要約】【課題】画像形成装置を使用する意思のないユーザーが画像形成装置に近づいても、省電力効果を高めることができる画像形成装置を提供する。【解決手段】画像形成装置２は、複数のデバイス７６と検知部７０と電力供給状態設定部９４とディスプレーパネル７８と誤検知数検出部９０とを備える。検知部７０は、検知対象を検知する。電力供給状態設定部９４は、デバイス７６への電力供給状態を変更する。ディスプレーパネル７８は、情報表示し、入力操作を受け付ける。誤検知数検出部９０は、検知結果と受付結果とに基づいて誤検知数を検出する。第１電力供給状態は、第１所定数のデバイス７６に電力を供給した状態である。第２電力供給状態は、第１所定数より多い第２所定数のデバイス７６に電力を供給した状態である。電力供給状態設定部９４は、誤検知数検出部９０の検出結果に基づいて、第２所定数を設定する。【選択図】図２
2020056906.tif 000002
【特許請求の範囲】
【請求項１】
複数のデバイスと、
検知対象を検知する検知部と、
前記検知部の検知結果に基づいて、前記複数のデバイスへの電力供給状態を、第１電力供給状態と第２電力供給状態との間で変更する設定部と、
情報を表示し、又は入力操作を受け付けるディスプレーパネルと、
前記検知部の検知結果と前記ディスプレーパネルの受付結果とに基づいて、誤検知数を検出する検出部とを備え、
前記第１電力供給状態は、前記複数のデバイスのうち、第１所定数のデバイスに電力を供給した状態であり、
前記第２電力供給状態は、前記複数のデバイスのうち、前記第１所定数より多い第２所定数のデバイスに電力を供給した状態であり、
前記設定部は、前記検出部の検出結果に基づいて、前記第２所定数を設定する、画像形成装置。
【請求項２】
前記第１電力供給状態は、前記画像形成装置のスリープ状態である、請求項１に記載の画像形成装置。
【請求項３】
前記複数のデバイスは、
用紙にトナー像を定着させる定着部と、
原稿を読み取る読取部とを含み、
前記第２電力供給状態は、
前記ディスプレーパネル、前記定着部、及び前記読取部の少なくとも一つに電力を供給する状態である、請求項１又は請求項２に記載の画像形成装置。
【請求項４】
前記設定部は、前記検出部の検出結果に基づいて、前記第２所定数を変更する、請求項１〜請求項３のいずれか一項に記載の画像形成装置。
【請求項５】
前記設定部は、前記検出部の検出結果に基づいて、前記電力供給状態に関する画像を前記ディスプレーパネルに表示させる、請求項１〜請求項３のいずれか一項に記載の画像形成装置。
【請求項６】
前記検出部の検出結果を外部装置に送信する送信部と、
前記外部装置から前記第２所定数を受信する受信部とを更に備えた、請求項１〜請求項５のいずれか一項に記載の画像形成装置。
【請求項７】
前記設定部は、前記ディスプレーパネルの受付結果に基づいて、前記第１電力供給状態又は前記第２電力供給状態から、更に第３電力供給状態に変更し、
前記第３電力供給状態は、第３所定数の前記デバイスに電力を供給した状態であり、
前記第３所定数は、前記第２所定数より大きい、請求項１〜請求項６のいずれか一項に記載の画像形成装置。
【発明の詳細な説明】
【技術分野】
【０００１】
本発明は、画像形成装置に関する。
【背景技術】
【０００２】
一般的に、画像処理装置は、不使用時の消費電力を低減するための機能を有することが知られている。
【０００３】
例えば、特許文献１に記載の画像処理装置は、不使用時の消費電力を制御するため、複数の移動体検出手段の検出結果に基づいて非電力供給状態に遷移する。
【先行技術文献】
【特許文献】
【０００４】
【特許文献１】特開２０１２−１８６７２０号公報
【発明の概要】
【発明が解決しようとする課題】
【０００５】
しかしながら、特許文献１が開示する移動体検出装置は、画像形成装置を使用する意思のあるユーザーと使用する意思のないユーザーとを区別することができない。従って、画像形成装置を使用する意思のないユーザーが画像形成装置に近づいてきたとき、移動体検出装置が画像形成装置の電源をＯＦＦからＯＮに切り替えてしまうので、電力の無駄が生じていた。
【０００６】
本発明は、上記課題に鑑みてなされたものであり、画像形成装置を使用する意思のないユーザーが画像形成装置に近づいてきても、省電力効果を高めることができる画像形成装置を提供することを目的とする。
【課題を解決するための手段】
【０００７】
本発明の第１の観点によれば、画像形成装置は、複数のデバイスと、検知部と、電力供給部と、ディスプレーパネルと、検出部とを備える。前記検知部は検知対象を検知する。前記電力供給部は、前記検知部の検知結果に基づいて、前記複数のデバイスへの電力供給状態を、第１電力供給状態と第２電力供給状態との間で変更する。前記ディスプレーパネルは、情報を表示し、又は入力操作を受け付ける。前記検出部は、前記検知部の検知結果と前記ディスプレーパネルの受付結果とに基づいて誤検知数を検出する。前記第１電力供給状態は、前記複数のデバイスのうち、第１所定数の前記デバイスに電力を供給した状態である。前記第２電力供給状態は、前記複数の前記デバイスのうち、前記第１所定数より多い第２所定数の前記デバイスに電力を供給した状態である。前記電力供給部は、前記検出部の検出結果に基づいて、前記第２所定数を設定する。
【発明の効果】
【０００８】
本発明によれば、画像形成装置を使用する意思のないユーザーが画像形成装置に近づいてきても、省電力効果を高めることができる画像形成装置を提供することができる。
【図面の簡単な説明】
【０００９】
【図１】本発明の実施形態１に係る画像形成装置を示す図である。
【図２】画像形成装置の制御ユニットを示す図である。
【図３】画像形成ユニットのメモリーが有するテーブルを示す図である。
【図４】制御ユニットが誤検知率を算出する処理を示すフローチャートである。
【図５】画像形成装置の制御ユニットを示す図である。
【図６】誤検知率に基づく設定変更を促す処理を示すフローチャートである。
【図７】画像形成装置の制御ユニットを示す図である。
【図８】第２所定数の設定変更を行う処理を示すフローチャートである。
【発明を実施するための形態】
【００１０】
以下、本発明の実施形態について、図面を参照しながら説明する。なお、図中、同一又は相当部分については同一の参照符号を付して説明を繰り返さない。
【００１１】
（実施形態１）
図１を参照して、本発明の実施形態１に係る画像形成装置２を説明する。図１は、本発明の実施形態１に係る画像形成装置２を示す図である。
【００１２】
図１に示すように、画像形成装置２は、原稿搬送ユニット４、画像読取ユニット６、画像形成ユニット８、ディスプレーパネル１２及び制御ユニット１４を備える。
【００１３】
原稿搬送ユニット４は、原稿１０を画像読取ユニット６に搬送する。画像読取ユニット６は、原稿１０に形成された画像を読み取り、画像情報を生成する。画像形成ユニット８は、用紙３２に画像を形成する。制御ユニット１４は、画像形成装置２の動作を制御する。
【００１４】
ディスプレーパネル１２は、情報を表示する。ディスプレーパネル１２は、入力ボタン又はタッチセンサーを備えてもよい。更に、ディスプレーパネル１２は、ユーザーによる入力操作を受け付ける表示パネルを備える。ユーザーは、入力ボタン又は表示パネルで情報を入力し、表示パネルで情報を確認できる。
【００１５】
画像形成ユニット８は、給送部３０、トナー供給部３４、画像形成部３６、現像部３８、搬送部４２、転写部４４、反転搬送部５２、定着部４６及び排出部５４を備える。
【００１６】
画像形成部３６は、転写部４４に備えられた中間転写ベルト４０上にシアン色、マゼンタ色、イエロー色、及び黒色のトナー像を転写する。複数色のトナー像が中間転写ベルト４０上で重畳され、中間転写ベルト４０上にトナー像が形成される。
【００１７】
給送部３０は、用紙３２を搬送部４２へ供給する。搬送部４２は、用紙３２を転写部４４に搬送する。中間転写ベルト４０上に形成されたトナー像は、転写部４４で用紙３２に転写され、用紙３２にトナー像が形成される。
【００１８】
トナー像が形成された用紙３２は、搬送部４２により定着部４６に搬送される。定着部４６は、定着ローラー４８により用紙３２を加熱及び加圧し、用紙３２に形成されたトナー像を用紙３２に定着する。定着部４６は、「定着部」の一例に相当する。
【００１９】
反転搬送部５２は、両面印字のために用紙３２の表裏を反転させるための機構である。定着部４６を通過した用紙３２は、反転ローラー５０によって搬送方向を反転され、反転搬送部５２に搬送させる。反転搬送部５２を通過した用紙３２は、表裏が反転されているので、再度、搬送部４２により転写部４４に搬送され、両面にトナー像が印字される。
【００２０】
定着部４６を通過した用紙３２は、搬送部４２により排出部５４へ搬送され、図示しない排出トレイに排出される。
【００２１】
制御ユニット１４は、図示しないプロセッサーを備える。プロセッサーは、例えばＣＰＵ（Ｃｅｎｔｒａｌ  Ｐｒｏｃｅｓｓｉｎｇ  Ｕｎｉｔ）を備える。記憶部は、半導体メモリーその他のメモリーを備え、ＨＤＤ（Ｈａｒｄ  Ｄｉｓｋ  Ｄｒｉｖｅ）を備えてもよい。記憶部は、制御プログラム、及び電力制御に用いるデータを記憶している。
【００２２】
次に、図２を参照して、本発明の第１実施形態に係る画像形成装置について説明する。図２は、画像形成装置２の制御ユニット１４を示す図である。
【００２３】
図２において、制御ユニット１４は、制御部７２、電力供給部７４、タイマー８４、検知カウンター８６、メモリー８８、誤検知率算出部９０、判定部９２、及び電力供給状態設定部９４を含む。電力供給状態設定部９４は、「設定部」の一例に相当する。
【００２４】
人感センサー７０は、図１の画像形成装置２から所定範囲内に存在する検知対象を検知し、検知結果を出力する。人感センサー７０は、「検知部」の一例に相当する。所定範囲は、ユーザーによって適宜設定される。具体的には、人感センサー７０は、赤外線、超音波、可視光その他の光を検知対象に照射することにより、反射光を検知して、検知対象の存在を検知して、検知信号を出力する。検知対象は、例えば、人体又はユーザーである。
【００２５】
デバイス７６は、複数のデバイスの総称である。デバイス７６は、例えば、始動時に音を発する機器である。図２では、始動時に起動するデバイス７６として、ディスプレーパネル７８、定着部８０及び読取部８２を一例として挙げている。ディスプレーパネル７８は、「ディスプレーパネル」の一例に相当する。読取部８２は、「読取部」の一例に相当する。
【００２６】
デバイス７６には、帯電装置、露光装置、現像装置、給紙装置、搬送装置、転写装置、及び排紙装置を含んでいてもよい。以下、デバイスを個別に区別する必要がない場合は、デバイス７６で総称する。
【００２７】
ユーザーが、画像形成装置２を所定時間使用しなかった場合、制御部７２は、デバイス７６への電力供給をＯＦＦにするか、省電力モード、又はスリープモードに設定している。すなわち、画像形成装置２は機能を発揮しない状態になっている。所定時間は、ユーザーにより適宜設定され得る。
【００２８】
人感センサー７０が、検知部として検知対象を検知すると、検知結果を検知信号として出力する。制御部７２は、検知信号を受信して、電力供給部７４にデバイス７６のいずれかの装置への電力供給を指令する。デバイス７６への電力供給状態をＯＦＦから省電力モード若しくはスリープモードに設定するか、又はディスプレーパネル７８のみに電力を供給するかは、ユーザーにより事前に設定されている。
【００２９】
制御部７２は、タイマー８４にカウント指令を出す。タイマー８４は、所定数をカウントする。タイマー８４は、所定数をカウントするまでに、ディスプレーパネル７８が、ユーザーの入力操作を受け付けたか否かを判定する。更に、タイマー８４は、ユーザーの入力操作を受け付けた場合、受付結果を受付信号として出力する。
【００３０】
タイマー８４が所定数をカウントするまでに、ディスプレーパネル７８がユーザーの入力操作を受け付けなかったと、タイマー８４が判定した場合、タイマー８４は、ＮＯ検知信号を制御部７２に出力する。
【００３１】
制御部７２は、ＮＯ検知信号を受信すると、待ち受け動作を１回行い、検知カウンター８６の検知カウントを「１」だけ増加させる。ここで、検知カウントを「１」だけ増加させることを「＋１インクリメントする」とも称する。更に、制御部７２は、１回の検知カウントが誤検知だった場合、検知カウンター８６の誤検知カウントを「１」だけ増加させる。検知カウントと誤検知カウントは、メモリー８８で積算される。制御部７２は、電力供給部７４にデバイス７６への電力供給をＯＦＦに戻すよう指令する。
【００３２】
別言すると、検知カウンター８６は、人感センサー７０の検知結果とディスプレーパネル７８の受付結果とに基づいて誤検知数を検出する。
【００３３】
次に、タイマー８４が所定数をカウントするまでに、ディスプレーパネル７８がユーザーの入力操作を受け付けた場合、タイマー８４は、ＹＥＳ検知信号を制御部７２に出力する。
【００３４】
ユーザーが入力した情報は、メモリー８８に格納される。制御部７２は、ＹＥＳ検知信号を受信すると、待ち受け動作を１回行い、検知カウンター８６の検知カウントを「１」だけ増加させる。また、制御部７２は、１回の検知カウントが誤検知ではなかった場合、誤検知カウントを増加させないか、又は元の値に維持する。ここで、誤検知カウントを増加させないか、又は元の値に維持することを、「＋０インクリメントする」と称することがある。検知カウントと誤検知カウントとは、メモリー８８で積算される。
【００３５】
誤検知率算出部９０は、メモリー８８に積算された検知カウントと誤検知カウントとを集計する。誤検知率算出部９０は、タイマー８４がＮＯ検知信号を出力した場合の検知カウント数と、タイマー８４がＹＥＳ検知信号を出力した場合の検知カウント数との合計を、「総検知カウント数」として集計する。また、誤検知率算出部９０は、タイマー８４がＮＯ検知信号を出力した場合の誤検知カウント数を、「総誤検知カウント数」として集計する。
【００３６】
誤検知率算出部９０は、「誤検知率」を算出する。「誤検知率」は、（（総誤検知カウント数）／（総検知カウント数）×１００）によって算出される。誤検知率算出部９０は、タイマー８４がカウントするたびに、誤検知率を算出し、最新の誤検知率データを生成して出力する。
【００３７】
誤検知率算出部９０は、人感センサー７０の検知結果とディスプレーパネル７８の受付結果とに基づいて誤検知数を検出してもよい。誤検知率算出部９０は、誤検知数検出部として機能し得る。誤検知数検出部は、「検出部」の一例に相当する。
【００３８】
ここで、図２に加えて、更に図３を参照して、メモリー８８に格納されているテーブル１００を説明する。図３は、画像形成ユニット８のメモリー８８が有するテーブル１００を示す図である。図３に示すように、テーブル１００には、誤検知率の閾値と、各閾値で区切られる範囲における電力供給状態が対応付けられている。
【００３９】
具体的には、誤検知率の閾値が８０％である場合、検知カウンター８６のカウントに基づいて算出された誤検知率は、１００％〜８０％である場合を示す。電力供給状態は「低電力供給状態」である。ここで、「低電力供給状態」とは、ディスプレーパネル７８、定着部８０、及び読取部８２のいずれにも電力を供給しないか、又は、ディスプレーパネル７８、定着部８０、及び読取部８２のいずれか１つに電力を供給する状態をいう。
【００４０】
低電力供給状態では、人感センサー７０の誤検知率が非常に高いことから、画像形成装置２の周辺に存在する検知対象は、ほぼ画像形成装置２を使用しないと判断される。
【００４１】
そこで、テーブル１００には、誤検知率が１００％〜８０％のときの電力供給状態が、ディスプレーパネル７８のみ起動する低電力供給状態として登録される。
【００４２】
誤検知率の閾値が５０％である場合、検知カウンター８６のカウントに基づいて算出された誤検知率が、８０％〜５０％である場合を示す。電力供給状態は「中電力供給状態」である。ここで、「中電力供給状態」とは、ディスプレーパネル７８、定着部８０、及び読取部８２のいずれか１つのみに電力を供給するか、又は、ディスプレーパネル７８、定着部８０、及び読取部８２の２つのみに電力を供給する状態をいう。
【００４３】
中電力供給状態では、人感センサー７０の誤検知率が比較的高いことから、画像形成装置２の周辺に存在する検知対象の多くが、画像形成装置２を使用しないと判断される。
【００４４】
そこで、テーブル１００には、誤検知率が８０％〜５０％のときの電力供給状態が、ディスプレーパネル７８と定着部８０とのみが起動する中電力供給状態として登録される。
【００４５】
誤検知率の閾値が１０％である場合、検知カウンター８６によるカウントに基づいて算出された誤検知率が、５０％〜１０％である場合を示す。電力供給状態は、「高電力供給状態」である。ここで、「高電力供給状態」とは、ディスプレーパネル７８、定着部８０、及び読取部８２の全てに電力を供給するか、又は、デバイス７６に加えて、デバイス７６以外の全てのデバイスにも電力を供給する状態をいう。
【００４６】
高電力供給状態では、人感センサー７０の誤検知率が非常に低いことから、画像形成装置２の周辺に存在する検知対象の多くが、画像形成装置２を使用すると判断される。
【００４７】
そこで、テーブル１００には、誤検知率が５０％〜１０％のときの電力供給状態が、ディスプレーパネル７８、定着部８０及び読取部８２の全てに電力を供給するか、又は、デバイス７６に加えて、デバイス７６以外の全てのデバイスにも電力を供給する高電力供給状態として登録される。
【００４８】
尚、誤検知率の数値設定は任意であり、例えば、誤検知率が１０％〜０％のときの電力供給状態を、「ディスプレーパネル７８、定着部８０、読取部８２以外のデバイス７６もすべて起動する」全電力供給状態としてテーブル１００に登録されてもよい。全電力供給状態をＯＮ状態と称することもある。
【００４９】
テーブル１００の電力供給状態は、一例として、低電力供給状態、中電力供給状態、及び高電力供給状態に分類される。
【００５０】
例えば、第１電力供給状態が低電力供給状態であるとき、第１電力供給状態は、画像形成装置２のスリープ状態である。また、第１電力供給状態は、ディスプレーパネル７８、定着部８０及び読取部８２の複数のデバイス７６のうち、ディスプレーパネル７８のみに電力を供給する状態であってもよい。この場合、デバイス７６の数である第１所定数を１と設定する。
【００５１】
また、第２電力供給状態を中電力供給状態とすると、第２電力供給状態は、デバイス７６のうち、ディスプレーパネル７８と定着部８０に電力を供給する状態である。この場合、デバイス７６の数である第２所定数を２と設定する。
【００５２】
但し、画像形成装置２のスリープ状態とは、第１電力供給状態が、画像形成装置２のすべてのデバイスに電力を供給しない状態であってもよい。第２電力供給状態は、デバイス７６のうちのいずれか１つに電力を供給する状態である。この場合、デバイス７６の数である第１所定数は０となる。
【００５３】
第１電力供給状態が、画像形成装置２のすべてのデバイスに電力を供給しない状態である場合は、第２電力供給状態は、デバイス７６のうちの少なくとも１つに電力を供給する状態である。この場合、デバイス７６の数である第２所定数は１以上となる。
【００５４】
従って、いずれの場合も、第２所定数は、第１所定数よりも多い。
【００５５】
更に、中電力供給状態を「第１電力供給状態」とし、ディスプレーパネル７８と定着部８０に電力を供給する状態とすることもできる。この場合、第１所定数を２とする。
【００５６】
また、高電力供給状態を「第２電力供給状態」とし、ディスプレーパネル７８、定着部８０及び読取部８２に電力を供給する状態とすることもできる。この場合、第２所定数を３とする。
【００５７】
この場合も、第２所定数は、第１所定数よりも多い。
【００５８】
次に、判定部９２は、誤検知率算出部９０が出力した誤検知率が、現在の画像形成装置２に設定されている誤検知率の閾値を超えたか否かを判定する。判定は、誤検知率算出部９０が出力した誤検知率と、メモリー８８のテーブル１００に登録された関係とに基づいて行われる。メモリー８８のテーブル１００に登録された関係は、誤検知率の閾値と電力供給状態との関係である。
【００５９】
また、判定部９２は、誤検知率算出部９０が最新の誤検知率を出力するたびに、現在の画像形成装置２に設定されている誤検知率の閾値を超えたか否かを判定する。
【００６０】
判定部９２が、誤検知率が現在の画像形成装置２に設定されている誤検知率の閾値を超えていないと判定した場合、Ｌｏｗ信号を出力する。
【００６１】
制御部７２は、Ｌｏｗ信号を受け取り、電力供給状態設定部９４に、現在の画像形成装置２に設定されている第１所定数及び第２所定数を変更しないことを指令する。
【００６２】
すなわち、例えば、現在の画像形成装置２の第１電力供給状態が低電力供給状態に設定されており、第２電力供給状態が中電力供給状態に設定されている場合において、制御部７２は、Ｌｏｗ信号を受け取っても、設定を変更しないよう、電力供給状態設定部９４に指令する。
【００６３】
次に、判定部９２が、誤検知率が現在の画像形成装置２に設定されている誤検知率の閾値を超えたと判定した場合、Ｈｉ信号を出力する。
【００６４】
制御部７２は、Ｈｉ信号を受け取り、電力供給状態設定部９４に、現在の画像形成装置２に設定されている第１所定数及び第２所定数を変更することを指令する。
【００６５】
すなわち、例えば、現在の画像形成装置２の第１電力供給状態が低電力供給状態に設定されており、第２電力供給状態が中電力供給状態に設定されている場合において、制御部７２は、Ｈｉ信号を受け取ると、第２電力供給状態を高電力供給状態に変更するよう、電力供給状態設定部９４に指令する。
【００６６】
別言すると、電力供給状態設定部９４は、ディスプレーパネル７８の検知結果に基づいて、第２所定数を設定する。また、電力供給状態設定部９４は、ディスプレーパネル７８の検知結果に基づいて、デバイス７６を構成するディスプレーパネル７８、定着部８０及び読取部８２の少なくとも１つへの電力供給状態を、第１電力供給状態と第２電力供給状態との間で変更する。
【００６７】
つまり、第２電力供給状態が、ディスプレーパネル７８と定着部８０に電力を供給する状態から、ディスプレーパネル７８、定着部８０及び読取部８２に電力を供給する状態に設定変更される。第２所定数は、２から３に変更される。
【００６８】
更に、第１電力供給状態の第１所定数は、１から２に変更される設定であってもよい。
【００６９】
また、第１電力供給状態は、画像形成装置２のスリープ状態とすることができる。第１電力供給状態は、例えば、画像形成装置２のすべてのデバイスに電力を供給しない状態とすることができる。第１実施形態の構成により、第１電力供給状態をスリープ状態に設定することにより、画像形成装置２の不使用時の電力消費が抑えられる。従って、省電力を更に達成できる。
【００７０】
また、デバイス７６は、用紙３２にトナー像を定着させる定着部８０と、原稿１０を読み取る読取部８２とを含み、第２電力供給状態は、ディスプレーパネル７８、定着部８０、及び読取部８２の少なくとも一つに電力を供給する状態である。
【００７１】
第２電力供給状態を、ディスプレーパネル７８、定着部８０、及び読取部８２の少なくとも一つに電力を供給する状態とすることにより、検出対象の状況に応じて、必要最小限のデバイス７６のみを起動させることができる。従って、省電力を更に達成することができる。
【００７２】
更に、電力供給状態設定部９４は、人感センサー７０の検出結果に基づいて、第２所定数を設定し、又は変更する。
【００７３】
また、画像形成装置２の周囲に存在する検知対象の多くが、画像形成装置２を使用する環境なのか、ほとんど使用しない環境なのかが判定される。画像形成装置２のＯＦＦ状態若しくは、起動状態において、電力を供給するデバイス７６の数が設定変更される。
【００７４】
更に、画像形成装置２の置かれた環境に応じて、制御部７２が電力を供給するデバイス７６の数を自動的に判断することができる。
【００７５】
また、適切な省電力モードを、制御部７２が自動的に判断することができるため、更なる省電力が図られる。
【００７６】
次に、図４を参照して、第１実施形態の制御フローについて説明する。図４は、制御ユニットが誤検知率を算出する処理を示すフローチャートである。
【００７７】
ステップＳ１０において、人感センサー７０は、画像形成装置２から所定範囲内のユーザーの存在を検知し、検知結果を検知信号として出力する。
【００７８】
ステップＳ１２において、制御部７２は、電力供給部７４にデバイス７６への電力供給を指令する。
【００７９】
ステップＳ１４において、制御部７２は、タイマー８４にカウント指令を出す。タイマー８４は、所定時間内にディスプレーパネル７８がユーザーの入力操作を受け付けたか否かを判定する。
【００８０】
ディスプレーパネル７８が、所定時間内にユーザーの入力操作を受け付けなかった場合（Ｎｏ）、タイマー８４は、ディスプレーパネル７８の検知結果をＮＯ検知信号として、制御部７２に出力する。
【００８１】
ステップＳ１８において、制御部７２は、ＮＯ検知信号を受信すると、検知カウンター８６の検知カウントを「１」だけ増加させ、併せて、誤検知カウントを「１」だけ増加させる。制御部７２は、電力供給部７４にデバイス７６への電力供給をＯＦＦに戻すよう指令する。
【００８２】
ステップＳ１４において、ディスプレーパネル７８が、所定時間内にユーザーの入力操作を受け付けた場合（Ｙｅｓ）、タイマー８４は、ＹＥＳ検知信号を制御部７２に出力する。
【００８３】
ステップＳ１６において、制御部７２は、ＹＥＳ検知信号を受信すると、検知カウンター８６の検知カウントを「１」だけ増加させ、併せて、誤検知カウントは増加させない。
【００８４】
ステップＳ２０において、誤検知率算出部９０は、メモリー８８に積算された検知カウントと誤検知カウントを集計する。誤検知率算出部９０は、「総検知カウント数」を集計する。また、誤検知率算出部９０は、「総誤検知カウント数」を集計する。誤検知率算出部９０は、「誤検知率」を算出する。
【００８５】
ステップＳ２２において、判定部９２は、誤検知率算出部９０が出力した誤検知率が、閾値を超えたか否かを判定する。
【００８６】
ステップＳ２４において、判定部９２が、誤検知率が現在の画像形成装置２に設定されている誤検知率の閾値を超えていないと判定した場合、Ｌｏｗ信号を出力する。制御部７２は、Ｌｏｗ信号を受け取り、電力供給状態設定部９４に、現在の画像形成装置２に設定されている第１所定数及び第２所定数を変更しないことを指令する。そして、処理は終了する。
【００８７】
ステップＳ２６において、判定部９２が、誤検知率が閾値を超えたと判定した場合、Ｈｉ信号を出力する。そして、処理は終了する。
【００８８】
制御部７２は、Ｈｉ信号を受け取り、電力供給状態設定部９４に、第１所定数及び／又は第２所定数を変更することを指令する。
【００８９】
（第２実施形態）
次に、図５を参照して、本発明の第２実施形態に係る画像形成装置について説明する。図５は、画像形成装置２の制御ユニット１４を示す図である。
【００９０】
図５に示すように、図２を参照して説明した第２実施形態は、第１実施形態と比較して、制御部７２とディスプレーパネル７８との信号のやり取りに違いがある。従って、図５は、図２と比べて、制御部７２とディスプレーパネル７８とが結ばれた両矢印のみが相違する。その他の構成部分の構成、機能及び動作は第１実施形態と同様であるため、重複する部分については説明を省略する。
【００９１】
図５において、判定部９２は、誤検知率算出部９０が出力した誤検知率が、現在の画像形成装置２に設定されている誤検知率の閾値を超えたか否かを判定する。判定部９２による判定は、誤検知率算出部９０が出力した誤検知率と、メモリー８８のテーブル１００に登録された、誤検知率の閾値と電力供給状態との関係に基づいて行われる。
【００９２】
また、判定部９２は、誤検知率算出部９０が最新の誤検知率を出力するたびに、現在の画像形成装置２に設定されている誤検知率の閾値を超えたか否かを判定する。
【００９３】
判定部９２が、誤検知率が現在の画像形成装置２に設定されている誤検知率の閾値を超えていないと判定した場合、Ｌｏｗ信号を出力する。
【００９４】
制御部７２は、Ｌｏｗ信号を受け取り、ディスプレーパネル７８に通常表示の指令を出力する。
【００９５】
例えば、現在の画像形成装置２の第１電力供給状態が低電力供給状態に設定されており、第２電力供給状態が中電力供給状態に設定されている場合において、制御部７２は、Ｌｏｗ信号を受け取ったので、第１電力供給状態及び第２電力供給状態の設定を変更しない。そして、制御部７２は、ディスプレーパネル７８に通常の表示をするよう指令する。通常の表示とは、例えば、電力供給状態に関する画像であって、ディスプレーパネル７８に、電力供給状態の設定変更について言及しない表示である。
【００９６】
一方、判定部９２が、誤検知率が現在の画像形成装置２に設定されている誤検知率の閾値を超えたと判定した場合、Ｈｉ信号を出力する。
【００９７】
制御部７２は、Ｈｉ信号を受け取り、ディスプレーパネル７８に、電力供給状態に関する画像として、電力供給状態の設定変更を促す表示の指令を出力する。
【００９８】
例えば、現在の画像形成装置２の第１電力供給状態が低電力供給状態に設定されており、第２電力供給状態が中電力供給状態に設定されている場合において、制御部７２はＨｉ信号を受け取ったので、第１電力供給状態及び第２電力供給状態の設定を変更する必要がある。制御部７２は、ディスプレーパネル７８に、電力供給状態に関する画像を表示するよう指令する。電力供給状態に関する画像とは、例えば、第２電力供給状態を高電力供給状態に設定変更することをユーザーに推奨する画像である。
【００９９】
第２実施形態の電力供給状態設定部９４は、誤検知率算出部９０の算出結果に基づいて、電力供給状態に関する画像をディスプレーパネル７８に表示させるものである。
【０１００】
また、判定部９２は、画像形成装置２の周囲に存在する検知対象の多くが、画像形成装置２を使用する環境なのか、ほとんど使用しない環境なのかを判定する。
【０１０１】
第２実施形態の構成により、画像形成装置２のＯＦＦ状態、又は、起動状態において、電力を供給するデバイス７６の数を設定変更すべきなのか否かが、ディスプレーパネル７８によってユーザーに示される。
【０１０２】
また、適切な省電力モードを、ユーザーがディスプレーパネル７８を見て判断できるため、ユーザーが適切と考える省電力を達成することができる。
【０１０３】
次に、第２実施形態の制御フローについて説明する。図６は、誤検知率に基づく設定変更を促す処理を示すフローチャートである。
【０１０４】
尚、図６のフローチャートは、ステップＳ１０からステップＳ２２までは図４と同様であるので、重複するステップについては、説明を省略する。
【０１０５】
ステップＳ２２において、図６の判定部９２は、誤検知率算出部９０が出力した誤検知率が、現在の画像形成装置２に設定されている誤検知率の閾値を超えたか否かを判定する。判定部９２は、誤検知率が現在の画像形成装置２に設定されている誤検知率の閾値を超えていないと判定した場合、Ｌｏｗ信号を出力する。
【０１０６】
ステップＳ２８において、制御部７２は、Ｌｏｗ信号を受け取り、ディスプレーパネル７８に通常表示の指令を出力する。そして、処理は終了する。
【０１０７】
次に、ステップＳ２２において、判定部９２は、誤検知率が現在の画像形成装置２に設定されている誤検知率の閾値を超えたと判定した場合、Ｈｉ信号を出力する。
【０１０８】
ステップＳ３０において、制御部７２は、Ｈｉ信号を受け取り、ディスプレーパネル７８に、電力供給状態の設定変更を促す表示の指令を出力する。そして、処理は終了する。
【０１０９】
（第３実施形態）
次に、図７を参照して、本発明の第３実施形態に係る画像形成装置について説明する。図７は、画像形成装置２の制御ユニット１４を示す図である。
【０１１０】
第３実施形態は、第１実施形態と比較して、制御ユニット１４が、送信部９８と受信部１０２を備え、外部に外部装置９６が設けられた点が相違する。その他の構成部分の構成、機能及び動作は第１実施形態と同様であるため、重複する部分については説明を省略する。
【０１１１】
図７において、誤検知率算出部９０は、人感センサー７０による検知結果と、ディスプレーパネル７８による受付結果とに基づいて、メモリー８８に積算された検知カウントと誤検知カウントとを集計する。
【０１１２】
誤検知率算出部９０は、タイマー８４がＮＯ検知信号を出力した場合の検知カウント数と、タイマー８４がＹＥＳ検知信号を出力した場合の検知カウント数との合計を、「総検知カウント数」として集計する。また、誤検知率算出部９０は、タイマー８４がＮＯ検知信号を出力した場合の誤検知カウント数と、タイマー８４がＹＥＳ検知信号を出力した場合の誤検知カウント数との合計を、「総誤検知カウント数」として集計する。
【０１１３】
誤検知率算出部９０は、「誤検知率」を出力する。「誤検知率」は、（（総誤検知カウント数）／（総検知カウント数）×１００）によって算出される。誤検知率算出部９０は、タイマー８４がカウントを終了するたびに、誤検知率を都度算出し、随時最新の誤検知率をデータとして生成して出力している。
【０１１４】
送信部９８は、最新の誤検知率のデータを外部装置９６に送信する。外部装置９６は、誤検知率のデータを受け取って処理できるものであればよく、例えば、パソコン、ワークステーション、又は、サーバーである。外部装置９６は、「外部装置」の一例に相当する。送信部９８は、「送信部」の一例に相当する。
【０１１５】
また、外部装置９６は、例えば、第１実施形態で説明したような、テーブル１００と同様のデータを備えている。以下、外部装置９６は、テーブル１００を備えているものとして説明する。
【０１１６】
外部装置９６は、誤検知率のデータを受け取って、誤検知率算出部９０が出力した誤検知率が、現在の画像形成装置２に設定されている誤検知率の閾値を超えたか否かを判定する。外部装置９６による判定は、誤検知率算出部９０が出力した誤検知率と、メモリー８８のテーブル１００に登録された、誤検知率の閾値と電力供給状態との関係に基づいて行われる。
【０１１７】
また、送信部９８は、誤検知率算出部９０が最新の誤検知率を出力するたびに、誤検知率のデータを外部装置９６に送信する。外部装置９６は、受信した誤検知率が、現在の画像形成装置２に設定されている誤検知率の閾値を超えたか否かを判定する。
【０１１８】
外部装置９６は、受信した誤検知率が現在の画像形成装置２に設定されている誤検知率の閾値を超えていないと判定した場合、Ｌｏｗ信号を出力する。
【０１１９】
受信部１０２は、Ｌｏｗ信号を受信する。受信部１０２は、「受信部」の一例に相当する。
【０１２０】
制御部７２は、Ｌｏｗ信号に基づき、電力供給状態設定部９４に、現在の画像形成装置２に設定されている第１所定数及び第２所定数を変更しないことを指令する。
【０１２１】
一方、外部装置９６が、受信した誤検知率が現在の画像形成装置２に設定されている誤検知率の閾値を超えたと判定した場合、Ｈｉ信号を出力する。
【０１２２】
また、外部装置９６は、外部装置９６がマスターであるとき、スレーブである複数の画像形成装置の電力供給状態を把握する。そして、外部装置９６は、画像形成装置２の現在の電力供給状態が、他のスレーブにある画像形成装置２の電力供給状態と相違するか否かを判定する。外部装置９６は、電力供給状態が相違する場合、相違することを情報として出力する。
【０１２３】
受信部１０２は、Ｈｉ信号を受信する。
【０１２４】
制御部７２は、Ｈｉ信号に基づいて、電力供給状態設定部９４に、現在の画像形成装置２に設定されている第１所定数及び第２所定数を変更することを指令する。
【０１２５】
尚、制御部７２は、Ｈｉ信号に基づいて、ディスプレーパネル７８に、電力供給状態の設定変更を促す表示の指令を出力するようにしてもよい。
【０１２６】
また、送信部９８は、誤検知率算出部９０の算出結果を外部装置９６に送信し、受信部１０２は、外部装置９６から第２所定数を受信するように構成してもよい。
【０１２７】
また、画像形成装置２の周囲に存在する検知対象の多くが、画像形成装置２を使用する環境なのか、ほとんど使用しない環境なのかに基づいて、外部装置９６が、電力を供給するデバイス７６の数を設定変更するように構成してもよい。
【０１２８】
第３実施形態の構成により、画像形成装置２の制御部７２の制御負担が削減される。
【０１２９】
また、画像形成装置２の置かれた環境に応じて、電力を供給するデバイス７６の数を、制御部７２に自動的に判断させることができる。これにより、画像形成装置２の制御部７２の制御負担が削減される。
【０１３０】
また、制御部７２が、適切な省電力モードを、自動的に判断することができるため、更なる省電力が図られる。
【０１３１】
更に、第２電力供給状態を高電力供給状態に設定変更することがユーザーに推奨される。これにより、画像形成装置２のＯＦＦ状態若しくは起動状態において、電力を供給するデバイス７６の数を設定変更すべきなのか否かを、ユーザーが容易に判断することができる。
【０１３２】
次に、図８を参照して、第３実施形態の制御フローについて説明する。図８は、第２所定数の設定変更を行う処理を示すフローチャートである。
【０１３３】
尚、図８のフローチャートは、ステップＳ１０からステップＳ２０までは図４と同様であるので、重複するステップについては、説明を省略する。
【０１３４】
ステップＳ２０において、図８の誤検知率算出部９０は、メモリー８８に積算された検知カウントと誤検知カウントとを集計する。誤検知率算出部９０は、「総検知カウント数」を集計する。また、誤検知率算出部９０は、「総誤検知カウント数」を集計する。誤検知率算出部９０は、「誤検知率」として出力する。「誤検知率」は、（（総誤検知カウント数）／（総検知カウント数）×１００）によって算出される。
【０１３５】
ステップＳ３２において、送信部９８は、誤検知率算出部９０が出力した誤検知率を外部装置９６に送信する。
【０１３６】
ステップＳ３４において、外部装置９６は、誤検知率が閾値を超えたか否かを判定する。超えていないと判定した場合、Ｌｏｗ信号を出力する。
【０１３７】
ステップＳ３６において、受信部１０２は、Ｌｏｗ信号を受信する。
【０１３８】
ステップＳ３８において、制御部７２は、電力供給状態設定部９４に、電力供給を現状維持にすることを指令する。そして、処理は終了する。
【０１３９】
ステップＳ３４に戻り、外部装置９６は、誤検知率が閾値を超えたと判定した場合、Ｈｉ信号を出力する。
【０１４０】
ステップＳ４０において、受信部１０２は、Ｈｉ信号を受信する。
【０１４１】
ステップＳ４２において、受信部１０２は、外部装置９６から第２所定数を受信する。
【０１４２】
ステップＳ４４において、制御部７２は、電力供給状態設定部９４に、現在の画像形成装置２に設定されている第１所定数及び第２所定数を変更することを指令する。そして、処理は終了する。
【０１４３】
（第４実施形態）
次に、図２を参照して、本発明の第４実施形態に係る画像形成装置について説明する。
【０１４４】
第４実施形態は、第１実施形態と比較して、制御部７２が判定部９２の判定結果を得た後の、制御部７２と電力供給状態設定部９４との動作が異なる。その他の構成部分の構成、機能及び動作は第１実施形態と同様であるため、図２を用いて説明し、重複する部分については説明を省略する。
【０１４５】
図２において、判定部９２は、誤検知率算出部９０が出力した誤検知率が、現在の画像形成装置２に設定されている誤検知率の閾値を超えたか否かを判定する。当該判定は、誤検知率算出部９０が出力した誤検知率と、メモリー８８のテーブル１００に登録された、誤検知率の閾値と電力供給状態との関係に基づいて行われる。
【０１４６】
また、判定部９２は、誤検知率算出部９０が最新の誤検知率を出力するたびに、現在の画像形成装置２に設定されている誤検知率の閾値を超えたか否かを判定する。
【０１４７】
判定部９２が、誤検知率が現在の画像形成装置２に設定されている誤検知率の閾値を超えていないと判定した場合、Ｌｏｗ信号を出力する。
【０１４８】
制御部７２は、Ｌｏｗ信号を受け取り、電力供給状態設定部９４に、現在の画像形成装置２に設定されている第１所定数及び第２所定数を変更しないことを指令する。
【０１４９】
次に、判定部９２が、誤検知率が現在の画像形成装置２に設定されている誤検知率の閾値を超えたと判定した場合、Ｖｅｒｙ−Ｈｉ信号を出力する。閾値は、例えば、１０％が設定される。誤検知率が閾値を超えたことは、誤検知率がほぼ０％に近くなったことを意味する。
【０１５０】
制御部７２は、Ｖｅｒｙ−Ｈｉ信号を受け取り、電力供給状態設定部９４に、現在の画像形成装置２に設定されている第１所定数及び第２所定数に加えて、第３所定数を設定することを指令する。
【０１５１】
例えば、現在の画像形成装置２の第１電力供給状態が低電力供給状態に設定されており、第２電力供給状態が中電力供給状態に設定されている場合において、制御部７２がＶｅｒｙ−Ｈｉ信号を受け取ると、制御部７２は、第２電力供給状態を高電力供給状態に変更するよう、電力供給状態設定部９４に指令する。更に、制御部７２は、デバイス７６を含むその他の全てのデバイスに電力を供給するよう、電力供給状態設定部９４に指令する。電力供給状態設定部９４は、第３電力供給状態を全電力供給状態であるＯＮ状態に設定する。
【０１５２】
別言すると、第２電力供給状態は、ディスプレーパネル７８、定着部８０、又は、読取部８２のうちいずれか２つに電力を供給する状態であって、第２所定数が２であった。これに対し、第２電力状態は、ディスプレーパネル７８、定着部８０、又は、読取部８２のすべてに電力を供給する状態であって、第２所定数が３に設定変更される。
【０１５３】
更に、電力供給状態設定部９４は第３電力供給状態を設定する。第３電力供給状態は、デバイス７６を含むその他の全てのデバイスに電力を供給する状態である。電力供給状態設定部９４は、第３所定数を設定する。
【０１５４】
第３所定数は４以上の数であり、第３所定数は、第２所定数よりも多い。
【０１５５】
更に、第１電力供給状態の第１所定数を、１から２に変更する設定であってもよい。
【０１５６】
第４実施形態は、電力供給状態設定部９４が、ディスプレーパネル７８の受付結果に基づいて、第１電力供給状態又は第２電力供給状態から、更に第３電力供給状態に変更する。前記第３電力供給状態は、第３所定数のデバイス７６に電力を供給した状態である。前記第３所定数は、前記第２所定数より大きい。
【０１５７】
第４実施形態の構成により、画像形成装置２の周囲に存在する検知対象の殆どが、画像形成装置２を使用する環境である場合、画像形成装置２の起動状態において、事前に通電を必要とするデバイス７６のすべてに早急に電力を供給することができる。更に、デバイス７６以外のすべてのデバイスにも電力を供給する状態にすることにより、ユーザーは、待たされることなく、画像形成装置２を使用することができる。
【０１５８】
以上、図面を参照しながら、本発明の実施形態を説明した。但し、本発明は、上記の実施形態に限られるものではなく、その要旨を逸脱しない範囲で、種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態に亘る構成要素を適宜組み合わせてもよい。また、上記の実施形態で示す各構成要素は一例であって、特に限定されるものではなく、本発明の構成から実質的に逸脱しない範囲で種々の変更が可能である。
【産業上の利用可能性】
【０１５９】
本発明は、画像形成装置の分野に利用可能である。
【符号の説明】
【０１６０】
２          画像形成装置
４          原稿搬送ユニット
６          画像読取ユニット
８          画像形成ユニット
１０          原稿
１２          ディスプレーパネル
１４          制御ユニット
３０          給送部
３２          用紙
３４          トナー供給部
３６          画像形成部
３８          現像部
４０          中間転写ベルト
４２          搬送部
４４          転写部
４６          定着部
４８          定着ローラー
５０          反転ローラー
５２          反転搬送部
５４          排出部
７０          人感センサー
７２          制御部
７４          電力供給部
７６          デバイス
７８          ディスプレーパネル
８０          定着部
８２          読取部
８４          タイマー
８６          検知カウンター
８８          メモリー
９０          誤検知率算出部
９２          判定部
９４          電力供給状態設定部
９６          外部装置
９８          送信部
１００          テーブル
１０２          受信部
【図１】
2020056906.tif 000003
【図２】
2020056906.tif 000004
【図３】
2020056906.tif 000005
【図４】
2020056906.tif 000006
【図５】
2020056906.tif 000007
【図６】
2020056906.tif 000008
【図７】
2020056906.tif 000009
【図８】
2020056906.tif 000010